(57)【特許請求の範囲】
【請求項１】
シートを積載するシート積載部と、
前記シート積載部に積載されるシートと当接し、回転してシートをピックアップするローラと、
前記ローラの回転軸方向両側に配置され、前記ローラと同じ方向で回転し、外周面がシートと当接する部材であり、回転軸方向を法線とした面において、回転中心から外周までの長さが均一でない形状である第１部材と、を有し、
前記ローラは、所定の軸を中心に回転する第１アームの端部に備えられ、
前記第１部材は、所定の軸を中心に回転する第２アームの端部に備えられ、
前記第１アームと、前記第２アームとは別個に回転動作する
シート供給装置。
【請求項２】
請求項１に記載のシート供給装置において、
前記第１部材は、前記回転中心から前記外周までの長さが最も長い位置でのシート当接面と、前記シート積載部の積載面とで前記シートを挟む
シート供給装置。
【請求項３】
請求項１または２に記載のシート給紙装置において、
前記第１部材の前記回転軸方向を法線とした面の面積は、前記ローラの前記回転軸方向を法線とした面の面積よりも小さい
シート供給装置。
【請求項４】
請求項１乃至３のいずれか１項に記載のシート供給装置において、
前記第１部材の前記回転軸方向を法線とした面の形状は、多角形である
シート供給装置。
【請求項５】
請求項１乃至４のいずれか１項に記載のシート供給装置において、
前記別個の回転動作とは、前記ローラが前記第１部材よりも先にシートに当接する動作である
シート供給装置。
【請求項６】
請求項４に記載のシート供給装置において、
前記第１部材の前記回転中心から前記多角形の頂点までの長さは、前記ローラの回転中心から前記ローラのシート当接面までの長さと同じである
シート供給装置。
【請求項７】
請求項１乃至６のいずれか１項に記載のシート供給装置において、
前記第１部材の、前記シートとの当接面の摩擦係数は、前記ローラの、前記シートとの当接面の摩擦係数よりも大きい
シート供給装置。
【請求項８】
請求項１乃至７のいずれか１項に記載のシート供給装置において、
前記第１部材の前記シートとの当接面は、樹脂で形成されている
シート供給装置。
【請求項９】
請求項１乃至８のいずれか１項に記載のシート供給装置において、
前記ローラと前記第１部材が回転する軸は、同軸である
シート供給装置。
【請求項１０】
特定温度で消色するトナーで像が形成されたシートを積載するシート積載部と、
前記シート積載部に積載されるシートと当接し、回転してシートをピックアップするローラと、
前記ローラの回転軸方向両側に配置され、前記ローラと同じ方向で回転し、外周面がシートと当接する部材であり、回転軸方向を法線とした面において、回転中心から外周までの長さが均一でない形状である第１部材と、
前記ローラによってピックアップされたシートを加熱する加熱部と、を有し、
前記ローラは、所定の軸を中心に回転する第１アームの端部に備えられ、
前記第１部材は、所定の軸を中心に回転する第２アームの端部に備えられ、
前記第１アームと、前記第２アームとは別個に回転動作する
消色装置。
【請求項１１】
シートを積載するシート積載部と、
前記シート積載部に積載されるシートと当接し、回転してシートをピックアップするローラと、
前記ローラの回転軸方向両側に配置され、前記ローラと同じ方向で回転し、外周面がシートと当接する部材であり、回転軸方向を法線とした面において、回転中心から外周までの長さが均一でない形状である第１部材と、
前記ローラによってピックアップされたシートの上に、トナーで像を形成する像形成部と、を有し、
前記ローラは、所定の軸を中心に回転する第１アームの端部に備えられ、
前記第１部材は、所定の軸を中心に回転する第２アームの端部に備えられ、
前記第１アームと、前記第２アームとは別個に回転動作する
画像形成装置。
【発明の詳細な説明】
【技術分野】
【０００１】
この明細書に記載の実施形態は、消色装置や画像形成装置のカセット、トレイに積載されるシートを、ピックアップする機構に関する。
【背景技術】
【０００２】
特定温度で加熱することで消色する色材が知られており、この色材をトナーとして採用し、印刷する画像形成装置もある。また、このような消色することができるトナー（以下、消色トナー）で印刷されたシートを加熱することで、シート上の像を消色し、再利用を図る消色装置が知られている。
【０００３】
また、以下の技術が開示されている。
【先行技術文献】
【特許文献】
【０００４】
【特許文献１】特開２００５−１５４０５３号公報
【発明の概要】
【発明が解決しようとする課題】
【０００５】
消色対象のシートは、少なくとも一度は使用されたシートであるため、折れやカールを伴っている場合がある。折れやカールを伴うシートを消色装置のトレイやカセットにセットして消色する場合、ピックアップするときにシート詰まり（ジャム）が発生することがある。
【０００６】
このようなシート詰まりは、画像形成装置で使用済みのシートの裏面に印刷する場合や、新規のシートでも折れやカールがある場合でも発生し得る。
【０００７】
実施形態は上述した問題点を解決するためになされたものであり、折れやカールなど変形したシートがカセット、トレイに搭載される場合、その折れやカールに起因するシート詰まりを緩和する技術を提供することを目的とする。
【課題を解決するための手段】
【０００８】
実施形態のシート供給装置は、シート積載部と、ローラと、第１部材とを有する。シート積載部は、シートを積載する。ローラは、シート積載部に積載されるシートと当接し、回転してシートをピックアップする。第１部材は、ローラの回転軸方向両側に配置され、ローラと同じ方向で回転し、外周面がシートと当接する部材であり、回転軸方向を法線とした面において、回転中心から外周までの長さが均一でない形状である。
【図面の簡単な説明】
【０００９】
【図１】実施形態の消色装置の構成例を示す模式図である。
【図２】実施形態の消色装置の構成例を示すブロック図である。
【図３】実施形態の給紙装置の斜視図である。
【図４】実施形態の給紙装置のピックアップローラ近傍を拡大した斜視図である。
【図５】実施形態のピックアップローラの回転軸方向から視認したときの拡大図である。
【図６】折れやカールのあるシートをピックアップするときの状態を示す斜視図である。
【図７】折れやカールのあるシートをピックアップするときの動作例を説明する図である。
【図８】実施形態のシート押え部材の形状例を示す図である。
【図９】実施形態のシート供給部を画像形成装置に適用するときの構成例を示す図である。
【発明を実施するための形態】
【００１０】
以下、本実施形態の態様について、図面を参照しつつ説明する。尚、各図に示される軸（Ｘ軸、Ｙ軸、Ｚ軸）は、互いに直角を成す直交座標系の基準軸であり、Ｘ軸、Ｙ軸、Ｚ軸の方向は、全ての図面で共通である。
【００１１】
図１は、本実施形態の消色装置の構成例を示す図であり、図２は、本実施形態の消色装置のブロック図である。消色装置１００は、シート供給部１（シート供給装置）、搬送部２、読取部３、消去部４（加熱部）、排出部５、プリント部６、制御部７を有する。
【００１２】
シート供給部１は、消色対象のシートを積載し、シートを消色装置１００の本体部に供給する。消色対象のシートは、本実施形態では一定温度の熱が加わることで消色するトナーで印刷されたシートとする。シート供給部１は、消色対象のシートを積載するトレイ１１（シート積載部）、トレイ１１に積載されているシートをピックアップするピックアップローラ１２（ローラ）を有し、ピックアップされるシートの折れやカールを押えるシート押え部材１４（第１部材）を有する。またシート供給部１は、複数枚のシートがピックアップされる場合は１枚のみのシートが供給されるように、複数のシートを分離する分離ローラ１３Ａ、１３Ｂを有する。これらの詳細については後述する。
【００１３】
搬送部２は、複数の搬送ローラやフラッパ（Ｆ１〜Ｆ４）を有し、制御部７の制御信号に従い、シート供給部１から供給されるシートを各ユニットに搬送する。
【００１４】
読取部３は、搬送部２により搬送される、消色対象のシート上に形成されている像を読み取り、また消色処理が行われた後に、その消色の成否確認のためにシート上の像を読み取る。読取部３は、シート上の像を電子データに変換するＣＣＤイメージセンサ（Charge Coupled Device Image Sensor）や、シートに可視光を照射する発光体を有する。
【００１５】
消去部４は、搬送されるシートを加熱して、消色トナーを無色化する（シートに形成された画像の色を消す）。消去部４は、ヒータである消去熱源４１、消去熱源４１の温度やシート表面の温度等を検知するセンサである温度検知部４２を有する。
【００１６】
プリント部６は、管理用のコードをシート上に印刷するユニットであり、例えば当該シートの再利用回数を例えばバーコードでシート余白部に印刷する。印刷の際には、消色トナーが用いられる。
【００１７】
排出部５は、消去処理後のシートを蓄積する１つまたは複数のカセットやトレイを有し、本実施形態では、再利用可能なシートを蓄積するトレイ５１、再利用に適さないシートを蓄積するトレイ５２を有する。
【００１８】
制御部７は、消色装置１００内の各ユニットの動作を統括制御する制御ボードであり、ＣＰＵ（Central Processing Unit）やＭＰＵ（Micro Processing Unit）などの演算処理装置であるプロセッサ７１や、揮発性記憶装置や不揮発性記憶装置により構成されるメモリ７２を有する。動作制御の一部や全部は、メモリ７２に事前に記憶されているプログラムをプロセッサ７１が実行する実装でもよく、またＡＳＩＣ（Application Specific Integrated Circuit）等による電子回路での実装でもよい。
【００１９】
消色装置１００の動作について説明する。シート供給部１により供給されるシートは、フラッパＦ１の経路切替えにより読取部３に搬送される。読取部３は、シートの両面を読み取り、読み取った画像データを制御部７に出力する。出力された画像データは、消色後にいつでも復元できるようにメモリ７２に永続的に記憶される。出力された画像データは、ネットワークを介して接続されるＰｅｒｓｏｎａｌ Ｃｏｍｐｕｔｅｒ（ＰＣ）やサーバ等の外部装置へ記憶しても良い。消色装置１００は、通信インターフェース（不図示）を介して外部装置と接続される。
【００２０】
制御部７は、読取部３で読み取った画像データ内に管理データ（バーコード）がある場合は、管理データを解析して再利用回数を取得する。再使用回数が所定回数以上である場合、制御部７は、フラッパＦ２、Ｆ３、Ｆ４を制御し、再利用に適さないシートを蓄積するトレイ５２にシートが搬送されるようにする。再利用回数が所定回数未満である場合、制御部７は、フラッパＦ２を制御することで、シートが消去部４に搬送されるようにする。
【００２１】
消去部４は、搬送されるシートを加熱して消色処理を行う。消去処理後のシートは、フラッパＦ１の経路切替えにより再度読取部３まで搬送されて読み取られる。読取後の画像データは、制御部７により、消去処理の成否判定が行われる。
【００２２】
像が残っている場合やシートが著しく損傷している場合等、再利用に不適切であると制御部７により判定される場合、当該シートは、フラッパＦ２、Ｆ３、Ｆ４の経路切替えに従いトレイ５２に搬送される。消去処理が良好であり、再利用に適していると制御部７により判定される場合、プリント部６は、取得されている再利用回数を１つインクリメントして、管理データをシートに印刷する。シートは、その後フラッパＦ２、Ｆ３の経路切替えに従い再利用可能シートを蓄積するトレイ５１まで搬送される。
【００２３】
次に、シート供給部１の詳細について説明する。図３は、シート供給部１の外観斜視図であり、図４は、ピックアップローラ１２、シート押え部材１４近傍の拡大図である。また図５は、ピックアップローラ１２、シート押え部材１４の回転軸方向（Ｙ軸方向）で視認した場合の図であり、各ローラの回転方向を実線矢印で示し、シートの進入方向を一点鎖線の矢印で示した図である。
【００２４】
ピックアップローラ１２は、Ｙ軸と平行の軸１５を回転軸としたアーム１６の端部に支持されている（図３参照）。ピックアップローラ１２は、軸１５を中心とし、またアーム１６の長さを半径とした回転運動により、Ｚ軸方向上下に移動する。この上下移動の下位置で、ピックアップローラ１２はシートと当接する。
【００２５】
ピックアップローラ１２のＹ軸方向の両外側には、図３、図４に示すように、互いに対面するようにシート押え部材１４が２つある。シート押え部材１４は、シートに折れやカールがある場合、折れやカール部位を下方向（Ｚ軸の下方向）に押え込む役割を担う。シート押え部材１４は、軸１５を回転軸としたアーム１７の端部に支持されており、軸１５を中心とし、アーム１７の長さを半径とした回転運動により、Ｚ軸方向上下に移動する。この上下移動の下位置が、シート押え部材１４とシートとの当接位置となる。
【００２６】
ピックアップローラ１２の軸１５を中心とした回転（上下移動）と、シート押え部材１４の軸１５を中心とした回転（上下移動）とは、本実施形態では一体として同時に動作するのではなく、それぞれ別個の動作となる。すなわち、ピックアップローラ１２が先にシートと当接し、その後シート押え部材１４がシートと当接する、という動作が可能となり、その逆も可能である。尚、同時に上下に動作する実装でもよい。またピックアップローラ１２とシート押え部材１４は、軸１５という同じ軸で回転しているが、回転軸を異ならせてもよい。また本実施形態では、アーム１６とアーム１７とは同じ長さとしているが、異ならせてもよい。
【００２７】
ピックアップローラ１２は、制御部７からの制御信号に応じて、Ｙ軸方向と平行の軸１８（図４参照）を回転軸として、消色装置１００の本体部にシートが搬送される方向で回転する（図５の実線矢印参照）。
【００２８】
シート押え部材１４も同様に、制御部７からの制御信号に応じて、Ｙ軸方向と平行の軸１９を回転軸としてピックアップローラ１２と同じ方向で回転する。シート押え部材１４は、駆動源からの動力をベルトＢを介して得ることで回転する。シート押え部材１４を回転させる駆動源とピックアップローラ１２を回転させる駆動源とは、本実施形態では別個であるとするが、同一の駆動源であってもよい。ピックアップローラ１２の軸１８を軸とした回転速度と、シート押え部材１４の軸１９を軸とした回転速度は同じであるとする。また本実施形態では、ピックアップローラ１２の回転の開始や停止のタイミングとシート押え部材１４の回転の開始や停止のタイミングは、それぞれ異なっている。ピックアップローラ１２でシートをピックアップした後にシート押え部材１４がシートを押える、という動作が可能となり、またその逆も可能となる。
【００２９】
またピックアップローラ１２を支持するアーム１６の長さと、シート押え部材１４を支持するアーム１７の長さは、本実施形態では同じ長さとする。また、ピックアップローラ１２の軸１８とシート押え部材１４の軸１９とは、図５に示すようにＸ−Ｚ平面上で同じ位置となるが、各軸で位置がずれた構成でもよい。
【００３０】
シート押え部材１４は、Ｙ軸方向を視認方向とする場合、多角形の形状をしており、本実施形態では三角形の形状である。シート押え部材１４は、シートと当接する際にシートに傷をつけないように、またシートとの当接面積を確保するように頂点角を落とした形状が採用される。
【００３１】
シート押え部材１４のシート当接面Ｔ１（外周面）、ピックアップローラ１２のシート当接面Ｔ２は樹脂により形成されており、樹脂の摩擦力によりシートを押さえつけ、またピックアップしている。当接面Ｔ１、Ｔ２の素材は互いに異ならせてもよく、本実施形態では、当接面Ｔ２よりもＴ１の方が、摩擦抵抗が大きい樹脂を採用している。
【００３２】
また図５に示すように、本実施形態では、シート押え部材１４のＸ−Ｚ面での面積は、ピックアップローラ１２のＸ−Ｚ面で面積よりも小さい。
【００３３】
分離ローラ１３Ａと分離ローラ１３Ｂは、図５に示すようにＺ軸方向の上下に配置されており、シートは、分離ローラ１３Ａと分離ローラ１３Ｂとの間を通るように本体部に搬送される。上方に配置される分離ローラ１３Ａは、シートを本体部に搬送する方向で回転し、下方に配置される分離ローラ１３Ｂは、シート搬送方向に抗う方向で回転する。
【００３４】
ピックアップローラ１２は、トレイ１１に積載されているシート束のうち、１枚のみをピックアップすることが望ましいが、シート面同士の摩擦力により、複数枚のシートが同時にピックアップされる場合がある（下方のシートが、摩擦力により上方のシートに引きずられるように複数枚ピックアップされる）。分離ローラ１３Ａと分離ローラ１３Ｂとの間に複数枚のシートが進入する場合、ピックアップされた複数枚のシートのうち最も上方にある１枚のシートは、分離ローラ１３Ａの回転力により本体部へ進入し、その他のシートは分離ローラ１３Ｂの回転力により阻止される。これにより、複数枚ピックアップされた場合でも、分離ローラ１３Ａ、１３Ｂにより、シート束の最も上に位置する１枚のシートとその他のシートとが分離され、１枚のシートのみが本体部に進入するようになる。
【００３５】
図６は、折れの有るシートをピックアップするときの状態を示す斜視図である。図７（Ａ）は、シート押え部材１４が折れシートを押える前の状態を示す模式図であり、図７（Ｂ）は、シート押え部材１４が折れシートを押えている状態を示す模式図である。積載時の時点で、既にシートが折れている場合やカール状になっている以外にも、ピックアップローラ１２の当接により、シートが歪曲する場合がある。図６は、この状態も示しており、ピックアップローラ１２がシートに当接することで、当接箇所が下方向に窪み、その他の箇所（特に両端）が上方に浮き上がる。シート押え部材１４による押え込みは、このようなシートの歪曲にも対応できる。
【００３６】
本実施形態のように、シート押え部材１４の形状が三角形等の多角形である場合、シート押え部材１４が軸１９を中心に回転すると、シートの進入方向に対して開口（図７（Ａ）参照）、閉口（図７（Ｂ）参照）の動作を繰り返すようになる。シート進行方向に対して開口しているときに、シートの端部が入り込み、シートがそのまま進入すると、閉口時には三角形形状の頂点でシートを下方に押えこむことができる（三角形の頂点とトレイ１１のシート支持面とでシートを挟む）。
【００３７】
また図７（Ａ）に示すように、シートが折れている場合、この折れによりシートの端部の位置は、本来の位置よりも高い位置（例えば図７（Ａ）のＨ２）となる。この折れたシート端部を下方に向けて押え込むには、シート端部高さ（Ｈ２）よりも高い位置から押え込む必要がある。シート押え部材１４は、開口高さＨ１をシート端部高さ（Ｈ２）以上に形成することができる形状であることが望ましい。これは、三角形のように頂点の数が少ない方が、例えば八角形のように頂点数の多い多角形よりも、開口高さＨ１が大きくなる。
【００３８】
またシート押え部材１４のシート当接面Ｔ１は、摩擦抵抗（摩擦係数μ）が大きい部材である方が、シートの搬送力を定量的に加えることができ、シート供給動作を安定させることができる。本実施形態では、シート押え部材１４のシート当接面Ｔ１の摩擦抵抗は、ピックアップローラ１２のシート当接面Ｔ２の摩擦抵抗よりも大きいものとする。またシート押え部材１４は、ベルトＢからの駆動力を得ることによって自らが回転することで、シートの搬送力を得ることができ、安定したシートの供給が可能となる。
【００３９】
図８は、シート押え部材１４の形状例を示した図である。シート押え部材１４の形状は、上記例のような三角形以外にも、六角形などの多角形や、星型多角形でもよい。星型多角形について、図８の例では凸状の頂点の数は５つであるが、態様はこれに限定されない。またシート押え部材１４の形状は、車両や自転車のタイヤホイールのように、外周部（リム）と、それを支持する部位（スポーク）により構成されるホイール型でもよい。図８に示す各形状以外にも、さまざまな形状が考えられる。各形状の頂点は、図８に示す六角形、星型多角形のように尖端でもよいし、図８に示す三角形やホイール型のようにカーブ状（角を落とした形状）でもよい。また正多角形でなくてもよい。
【００４０】
図８に示す各形状において、Ｌ１は、回転中心から外周までの長さが最も短いものであり、Ｌ２は、最も長いものであり、Ｌ１とＬ２の長さは等しくない。このように、各形状とも回転中心から外周までの長さが均一でない。このような回転中心から外周までの長さが均一でない形状であれば、どのような形状でもよい。別の言い方をすると、真円形状以外であれば、どのような形状でもよい。不図示であるが、凹凸のあるギア型の形状、楕円形状などでもよい。図７（Ａ）、図７（Ｂ）に示したように、シート進行方向に対し、回転により開閉する形状であればよい。
【００４１】
シート押え部材１４は、Ｌ２の外周位置でのシート当接面Ｔ１と、トレイ１１の搭載面とでシートを挟む。またＬ２とピックアップローラ１２のシート当接面Ｔ２との長さは、本実施形態では等しい。
【００４２】
ここまでは、消色装置に付属しているシート供給部の実装例を説明したが、上記シート供給部１の態様は、画像形成装置にも適用できる。図９は、上記シート供給部１を搭載した画像形成装置（ＭＦＰ:Multi Function Peripheral）の構成を示す縦断面図である。
【００４３】
図９に示すように、画像形成装置２００は、読取部Ｒと、画像形成部Ｐとを備えている。読取部Ｒは、シート原稿およびブック原稿の画像をスキャンして読み取る機能を有している。読取部Ｒは、複数の反射ミラーや撮像素子を含む走査光学系を備え、また原稿を読み取り位置まで自動搬送可能な自動原稿搬送装置（ＡＤＦ：Auto Document Feeder）９１を備える。
【００４４】
画像形成部Ｐは、読取部Ｒにて原稿から読み取られた画像や外部機器から画像形成装置２００に送信される画像データ等に基づいて、シートに現像剤像を形成する機能を有している。画像形成部Ｐは、感光体、現像ローラ、ミキサ、中間転写ベルト、定着装置および排出トレイを有する。
【００４５】
また画像形成装置２００は、制御ボード８００を有し、制御ボード８００は、演算処理装置（たとえばＣＰＵ、ＭＰＵ）であるプロセッサ８０１、および、不揮発性記憶装置や揮発性記憶装置により構成されるメモリ８０２を含んでいる。プロセッサ８０１は、画像形成装置２００における各種処理を行う役割を有しており、またメモリ８０２に事前に記憶されているプログラムを実行することにより、種々の機能を実現する。メモリ８０２は、画像形成装置２００において利用される種々の情報やプログラムを記憶する。
【００４６】
図９の破線で示されたユニットがシート供給部１であり、画像形成装置２００は、シート供給部１を複数（本例では４つ）有する。シート供給部１は、上記消色装置１００で説明したシート供給部１と同様に、トレイ１１、ピックアップローラ１２、分離ローラ１３Ａ、１３Ｂ、シート押え部材１４を有する。
【００４７】
シート供給部１の上記構成は、自動原稿搬送装置９１に採用されてもよく、また手差しトレイ９２に採用されてもよい。
【００４８】
上記実施形態では、シート供給部１を有する消色装置、画像形成装置について例示したが、シート供給部１は、１枚または複数枚のシートを取り出して当該シートを処理する装置であれば、いかなる装置にも付属させ、提供される。またシート供給部１は、シート供給装置という１つの筺体として提供されてもよい。
【００４９】
またシートは、本実施形態では紙であるものとして説明したが、薄い物体で有ればよく、例えば布や、ポリ塩化ビニルなどの樹脂、アルミニウム箔などの金属でもよい。
【００５０】
以上の実施形態において、Ｙ軸は回転軸方向である。また回転軸方向を法線とした面は、Ｘ軸とＺ軸により形成される面である。
【００５１】
以上に詳述したように、本実施形態では、ピックアップ時にシートの変形を矯正することができ、これにより、シート詰まりを軽減させることができる。
【００５２】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００５３】
１  シート供給部、２  搬送部、３  読取部、４  消去部、５  排出部、６  プリント部、７  制御部、１１  トレイ、１２  ピックアップローラ、１３Ａ、１３Ｂ  分離ローラ、１４  シート押え部材、１５  軸、１６、１７  アーム、１８、１９  軸、１００  消色装置、２００  画像形成装置、Ｒ  読取部、Ｐ  画像形成部、Ｔ１  シート押え部材のシート当接面、Ｔ２  ピックアップローラのシート当接面。
【図１】
0005546580.tif 000002
【図２】
0005546580.tif 000003
【図３】
0005546580.tif 000004
【図４】
0005546580.tif 000005
【図５】
0005546580.tif 000006
【図６】
0005546580.tif 000007
【図７】
0005546580.tif 000008
【図８】
0005546580.tif 000009
【図９】
0005546580.tif 000010